(57)【要約】【課題】ユーザのキー操作によって基板が大きく撓むことのない薄型の携帯型電子機器を提供する。【解決手段】本発明に係る携帯型電子機器においては、本体キャビネット１の裏面に電池収容室１５が凹設され、該電池収容室１５には、電池パックが収容されている。電池収容室１５は、電池パックの表面と密着する底壁４０と、電池パックの４つの側面を包囲する４つの側壁４１、４２、４３、４４によって形成され、２つの側壁４１、４２は、基板６の表面に配備されたドームシート７の両端に形成されている２つのドーム部７１ａ、７１ｅを本体キャビネット１内面へキー操作力の作用方向に投影した２つの領域とそれぞれ交差している。【選択図】      図４
2005033274.tif 000002
【特許請求の範囲】
【請求項１】
扁平なキャビネット（１）の内部に基板（６）が設置され、該基板（６）の表面には、複数のドーム部（７１）が配列されたドームシート（７）が配備されており、該ドームシート（７）の表面には、ドーム部（７１）を押圧するための複数の操作キー（１１）が配備され、該複数の操作キー（１１）の表面は、キャビネット（１）の表面から露出しており、キャビネット（１）の裏面には、基板（６）と対向するキャビネット（１）の一部に、直方体状の電池を収容すべき電池収容室（１５）が凹設され、該電池収容室（１５）は、電池の表面と対向することとなる底壁（４０）と、該底壁（４０）の外周端縁に突設されて電池の４つの側面を包囲する４つの側壁（４１）（４２）（４３）（４４）とによって形成されている携帯型電子機器において、
前記電池収容室（１５）を形成する４つの側壁（４１）（４２）（４３）（４４）には、互いに対向する２つの側壁（４１）（４２）が含まれると共に、前記ドームシート（７）の複数のドーム部（７１）には、前記２つの側壁（４１）（４２）が対向する方向の両端に形成された２つのドーム部（７１ａ）（７１ｅ）が含まれ、前記２つの側壁（４１）（４２）は、前記２つのドーム部（７１ａ）（７１ｅ）をキャビネット（１）内面へキー操作力の作用方向に投影した２つの領域と交差する位置にそれぞれ配置されていることを特徴とする携帯型電子機器。
【請求項２】
前記電池は、ケース内に二次電池要素を収容してなる電池パック（８）によって構成され、ドームシート（７）の複数のドーム部（７１）の内、前記２つのドーム部（７１ａ）（７１ｅ）よりも内側に形成されている複数のドーム部（７１ｇ）は、電池収容室（１５）に収容された電池パック（８）と対向する位置に配備されている請求項１に記載の携帯型電子機器。
【請求項３】
前記電池収容室（１５）を形成する底壁（４０）の背面には、前記基板（６）に向かって突出する複数条のリブ（４５）が形成され、該リブ（４５）の先端が基板（６）に当接している請求項１又は請求項２に記載の携帯型電子機器。
【請求項４】
前記複数条のリブ（４５）の内、１条のリブ（４５ａ）は、前記２つのドーム部（７１ａ）（７１ｅ）の内、一方のドーム部（７１ａ）をキャビネット（１）内面へキー操作力の作用方向に投影した領域と交差する位置に配置されている請求項３に記載の携帯型電子機器。
【請求項５】
前記基板（６）の裏面には複数の電子部品（６２）が配備され、前記電池収容室（１５）を形成する底壁（４０）の背面には、前記基板（６）に向かって突出する１或いは複数条のリブ（４６）が形成され、該リブ（４６）の先端が基板（６）裏面の電子部品（６２）に当接している請求項１又は請求項２に記載の携帯型電子機器。
【請求項６】
前記複数の電子部品（６２）の内、１つの電子部品（６２ａ）は、前記２つのドーム部（７１ａ）（７１ｅ）の内、一方のドーム部（７１ｅ）をキャビネット（１）内面へキー操作力の作用方向に投影した領域と交差する位置に配置されて、キャビネット（１）の底壁（４０）の背面に当接している請求項５に記載の携帯型電子機器。
【発明の詳細な説明】
【０００１】
【発明の属する技術分野】
本発明は、携帯電話機の如く、キャビネットの表面に複数の操作キーが配備された携帯型電子機器に関するものである。
【０００２】
【従来の技術】
近年、携帯電話機に対する小型化の要求は益々高まっており、表面にディスプレイを配備した蓋体キャビネットと表面に操作キーを配備した本体キャビネットとをヒンジ機構を介して開閉可能に連結した折り畳み式携帯電話機においても、両キャビネットの薄型化及び小型化を図ったものが開発されている（例えば特許文献１又は特許文献２参照）。
【０００３】
例えば、図６に示す折り畳み式携帯電話機の本体キャビネット（９）は、前面キャビネット半体（９３）に背面キャビネット半体（９４）を接合して構成されている。本体キャビネット（９）の表面には、複数の操作キー（９１）が配列されると共に、該操作キー（９１）の下方に送話部（９２）が設けられている。又、図８に示す如く、本体キャビネット（９）の裏面には、電池収容室（９５）が凹設されており、該電池収容室（９５）には、二次電池要素を内蔵した電池パック（９０）が収容されている。
【０００４】
図８及び図９に示す如く、本体キャビネット（９）の内部には、基板アセンブリ（１０９）が配備されており、該基板アセンブリ（１０９）は、それぞれ平板状の回路基板（１００）及びベース板（１０１）と、ベース板（１０１）上に回路基板（１００）を保持するホルダー（１０４）とから構成されている。
回路基板（１００）の表面及び裏面には、プリント配線が施されると共に複数の電子部品（１０６）が取り付けられている。又、ベース板（１０１）の表面には、上向きに膨らんだ複数のドーム部（１０３）を配列したドームシート（１０２）が配備され、該ドームシート（１０２）の表面には、ドーム部（１０３）を押圧するための複数の操作キー（９１）を具えたキーシート（１０５）が配備されている。複数の操作キー（９１）の表面は、前面キャビネット半体（９３）の表面から露出している。
【０００５】
又、背面キャビネット（９４）には、電池収容室（９５）を形成する底壁（９６）の背面に、図７に示す如く複数条のリブ（９９）が突設されており、これらのリブ（９９）の先端が図８に示す如く回路基板（１０１）の裏面及び電子部品（１０６）に当接して基板アセンブリ（１０９）を支持している。
【０００６】
上記折り畳み式携帯電話機においては、ユーザが操作キー（９１）を押圧した場合、その押圧力は、ベース板（１０１）、ホルダー（１０４）及び回路基板（１００）からなる基板アセンブリ（１０９）によって受け止められるので、その押圧力が大きい場合においても、ベース板（１０１）、ホルダー（１０４）及び回路基板（１００）がそれぞれ発揮する強度によって、基板アセンブリ（１０９）が大きく撓むことはない。
【０００７】
【特許文献１】
特開２００３−４６６２８号公報［Ｈ０４Ｍ１／２３］
【特許文献２】
特開２００３−１１０４５３号公報［Ｈ０４Ｂ１／３８］
【０００８】
【発明が解決しようとする課題】
ところで、この様な携帯電話機においては、本体キャビネット（９）の更なる薄型化を図るために、基板アセンブリ（１０９）を構成する回路基板（１００）の表面にドームシート（１０２）を配備して、ベース板（１０１）及びホルダー（１０４）を省略し、１枚の回路基板（１００）から基板アセンブリを構成することによって、基板アセンブリの薄型化を図ることが考えられる。
しかしながら、この場合、１枚の回路基板（１００）によってユーザのキー操作による押圧力を受け止めることとなるため、回路基板（１００）が大きく撓み、場合によっては回路基板（１００）上の電子部品が損傷を受ける虞がある。
【０００９】
そこで本発明の目的は、１枚の基板に電子回路を配備すると共にドームシートを配備した基板構造を採用して、機器の薄型化を図った場合においても、ユーザのキー操作によって基板が大きく撓むことのない携帯型電子機器を提供することである。
【００１０】
【課題を解決する為の手段】
本発明に係る携帯型電子機器においては、扁平なキャビネット（１）の内部に基板（６）が設置され、該基板（６）の表面には、複数のドーム部（７１）が配列されたドームシート（７）が配備されており、該ドームシート（７）の表面には、ドーム部（７１）を押圧するための複数の操作キー（１１）が配備され、該複数の操作キー（１１）の表面は、キャビネット（１）の表面から露出している。キャビネット（１）の裏面には、基板（６）と対向するキャビネット（１）の一部に、直方体状の電池を収容すべき電池収容室（１５）が凹設され、該電池収容室（１５）は、電池の表面と対向することとなる底壁（４０）と、該底壁（４０）の外周端縁に突設されて電池の４つの側面を包囲する４つの側壁（４１）（４２）（４３）（４４）とによって形成されている。
前記キャビネット（１）の電池収容室（１５）を形成する４つの側壁（４１）（４２）（４３）（４４）には、互いに対向する２つの側壁（４１）（４２）が含まれると共に、前記ドームシート（７）の複数のドーム部（７１）には、前記２つの側壁（４１）（４２）が対向する方向の両端に形成された２つのドーム部（７１ａ）（７１ｅ）が含まれ、前記２つの側壁（４１）（４２）は、前記２つのドーム部（７１ａ）（７１ｅ）をキャビネット（１）内面へキー操作力の作用方向に投影した２つの領域と交差する位置にそれぞれ配置されている。
【００１１】
上記本発明の携帯型電子機器においては、ユーザが、両端に形成された前記２つのドーム部（７１ａ）（７１ｅ）の内、一方のドーム部（７１ａ）上に配置されている操作キー（１１ａ）を押圧すると、該ドーム部（７１ａ）が弾性復帰可能に反転して接点が閉じ、基板（６）の表面には、前記一方のドーム部（７１ａ）によって覆われた領域に、キー操作による押圧力が作用することとなる。
ここで、基板（６）の押圧力の作用する領域の裏面側には、電池収容室（１５）を構成する側壁（４１）が配置され、該側壁（４１）の深さ方向の両端はそれぞれ約９０度に屈曲して伸びており、２つの屈曲部を有するＺ字状部が形成されている。該Ｚ字状部は、曲げに対して大きな強度を有しているため、基板（６）に作用する押圧力はＺ字状部によって受け止められることとなり、押圧力が大きい場合においても基板（６）は殆ど撓まない。
【００１２】
又、他方のドーム部（７１ｅ）上の操作キー（１１ｅ）を押圧した場合も同様に、基板（６）の表面に押圧力が作用することとなるが、基板（６）の押圧力の作用する領域の裏面側には、電池収容室（１５）を構成する側壁（４２）が配置され、該側壁（４２）の深さ方向の両端はそれぞれ約９０度に屈曲して伸び、２つの屈曲部を有するＺ字状部が形成されているので、基板（６）に作用する押圧力はＺ字状部によって受け止められることとなり、押圧力が大きい場合においても基板（６）は殆ど撓まない。
【００１３】
又、両端に形成された２つのドーム部（７１ａ）（７１ｅ）よりも内側に形成されているドーム部（７１ｇ）上の操作キー（１１ｇ）を押圧した場合、基板（６）は、キャビネット（１）の２つのＺ字状部によって、両端の２つドーム部（７１ａ）（７１ｅ）が配置されている両端部を支持された状態で、その中央部に押圧力を受けることになるが、少なくとも一方のＺ字状部が基板（６）の端部よりも内側に形成されている場合や、少なくとも一方のＺ字状部が基板（６）の端部よりも外側に形成されている場合と比較して、基板（６）の撓みは全体として小さなものとなる。
即ち、少なくとも一方のＺ字状部が基板（６）の端部よりも内側に形成されている場合には、そのＺ字状部から外側に突出する基板端部に押圧力が作用したとき、基板端部は片持ち梁の支持状態となって、大きな撓みが発生することとなる。
又、少なくとも一方のＺ字状部が基板（６）の端部よりも外側に形成されている場合には、両Ｚ字状部の間隔が基板（６）の長さよりも大きくなって、基板（６）の中央部に大きな撓みが発生することとなる。
従って、本発明の如く、両端の２つドーム部（７１ａ）（７１ｅ）が配置されている基板（６）の両端部の直下にキャビネット（１）の２つのＺ字状部を配置することによって、基板（６）に発生する撓みを全体として小さく抑えることが出来る。
【００１４】
具体的構成において、前記電池は、ケース内に二次電池要素を収容してなる電池パック（８）によって構成され、ドームシート（７）の複数のドーム部（７１）の内、前記２つのドーム部（７１ａ）（７１ｅ）よりも内側に形成されている複数のドーム部（７１ｇ）は、電池収容室（１５）に収容された電池パック（８）と対向する位置に配備されている。
該具体的構成において、ユーザが、両端の２つのドーム部（７１ａ）（７１ｅ）よりも内側に形成されているドーム部（７１ｇ）上の操作キー（１１ｇ）を押圧した場合、その押圧力は、電池収容室（１５）の底壁（４０）を介して電池パック（８）によって受け止められる。従って、その押圧力が大きい場合においても、電池収容室（１５）の底壁（４０）及び電池パック（８）が発揮する強度によって、基板（６）が大きく撓むことはない。
【００１５】
他の具体的構成において、キャビネット（１）の底壁（４０）の背面には、前記基板（６）に向かって突出する複数条のリブ（４５）が形成され、該リブ（４５）の先端が基板（６）に当接している。
該具体的構成において、基板（６）は、キャビネット（１）の底壁（４０）に突設された複数条のリブ（４５）によって直接に支持されている。ここで、該リブ（４５）と該リブ（４５）の基端に連結されている底壁（４０）の一部とによってＴ字状部が形成されており、該Ｔ字状部は曲げに対して大きな強度を有しているため、基板（６）に作用する押圧力は、該Ｔ字状部によって受け止められることになる。
【００１６】
又、前記複数条のリブ（４５）の内、１条のリブ（４５ａ）は、前記２つのドーム部（７１ａ）（７１ｅ）の内、一方のドーム部（７１ａ）をキャビネット（１）内面へキー操作力の作用方向に投影した領域と交差する位置に配置されている。
該具体的構成においては、ユーザが前記一方のドーム部（７１ａ）と対向している操作キー（１１ａ）を押圧した場合、基板（６）に作用する押圧力は、前記リブ（４５ａ）を介してＺ字状部に伝わり、該Ｚ字状部によって受け止められる。
【００１７】
他の具体的構成において、前記基板（６）の裏面には複数の電子部品（６２）が配備され、キャビネット（１）の底壁（４０）の背面には、前記基板（６）に向かって突出する１或いは複数のリブ（４６）が形成され、該リブ（４６）の先端が基板（６）裏面の電子部品（６２）に当接している。
該具体的構成において、基板（６）は、電子部品（６２）を介してキャビネット（１）のリブ（４６）によって支持されている。ここで、該リブ（４６）と該リブ（４６）の基端に連結されている底壁（４０）の一部とによってＴ字状部が形成されており、該Ｔ字状部は曲げに対して大きな強度を有しているため、基板（６）に作用する押圧力は、電子部品（６２）を介して該Ｔ字状部によって受け止められることになる。
【００１８】
更に具体的な構成において、前記複数の電子部品（６２）の内、１つの電子部品（６２ａ）は、前記２つのドーム部（７１ａ）（７１ｅ）の内、一方のドーム部（７１ｅ）をキャビネット（１）内面へキー操作力の作用方向に投影した領域と交差する位置に配置されると共に、キャビネット（１）の底壁（４０）の背面に当接している。
該具体的構成において、ユーザが前記一方のドーム部（７１ｅ）上の操作キー（１１ｅ）を押圧した場合、基板（６）に作用する押圧力は、電子部品（６２ａ）を介してＺ字状部によって受け止められる。
【００１９】
【発明の効果】
本発明に係る携帯型電子機器によれば、１枚の基板に電子回路を配備すると共にドームシートを配備した基板構造を採用して、機器の薄型化を図った場合においても、ユーザのキー操作によって基板が大きく撓むことはない。
【００２０】
【発明の実施の形態】
以下、本発明を折り畳み式携帯電話機に実施した形態につき、図面に沿って具体的に説明する。
本発明に係る折り畳み式携帯電話機は、図１に示す如く、本体キャビネット（１）と蓋体キャビネット（２）をヒンジ機構（２３）を介して互いに開閉可能に連結して構成されている。本体キャビネット（１）は、前面キャビネット半体（３）と背面キャビネット半体（４）を接合して構成されており、蓋体キャビネット（２）も同様のキャビネット構成を有している。
本体キャビネット（１）の表面には、複数の操作キー（１１）が配列されると共にリングキー（１３）が配備され、操作キー（１１）の下方には送話部（１２）が設けられている。又、蓋体キャビネット（２）の表面には、ディスプレイ（２１）が配備されると共に、該ディスプレイ（２１）の上方には受話部（２２）が設けられている。
【００２１】
本体キャビネット（１）を構成する背面キャビネット半体（４）の裏面には、図３に示す如く電池収容室（１５）が凹設されており、該電池収容室（１５）には、図２に示す直方体状の電池パック（８）が収容される。該電池パック（８）は、直方体状の金属缶を有する二次電池要素（８１）を樹脂ケース（８３）に収容して構成されており、該樹脂ケース（８３）には、電力を取り出すための電極部（８２）が設置されている。
【００２２】
図３に示す如く、電池収容室（１５）は、前記電池パック（８）の表面が密着すべき底壁（４０）と、該底壁（４０）の外周端縁に突設されて電池パック（８）の４つの側面を包囲する４つの側壁（４１）（４２）（４３）（４４）とによって形成されており、底壁（４０）の表面には、前記電池パック（８）の電極部（８２）が接触すべき端子部（４８）が設置されている。
【００２３】
本体キャビネット（１）を構成する前面キャビネット半体（３）と背面キャビネット半体（４）の間には、図２に示す如く、基板アセンブリ（６０）が配備されている。
基板アセンブリ（６０）は、平板状の基板（６）と、該基板（６）の表面に配備されたドームシート（７）と、該ドームシート（７）の表面を覆うキーシート（５）から構成されている。ドームシート（７）には、上向きに膨らんだ複数のドーム部（７１）が配列されており、キーシート（５）は、合成樹脂からなる弾性シート（５０）の表面に、各ドーム部（７１）に対応する複数の操作キー（１１）及びリングキー（１３）を配備して構成されている。又、基板（６）の裏面には、プリント配線が施されると共に、図５に示す如く複数の電子部品（６２）が配備されている。
【００２４】
図２に示す如く、背面キャビネット半体（４）には、電池収容室（１５）を形成する底壁（４０）の背面に、該背面を上下左右に伸びる複数条の第１リブ（４５）が突設されると共に、枠状若しくは格子状に形成された複数条の第２リブ（４６）が突設されている。ここで、第１リブ（４５）は、基板（６）裏面の電子部品が存在しない領域に向けて突設され、その先端が基板（６）裏面に当接している。又、第２リブ（４６）は、基板（６）裏面の電子部品に向けて突設され、その先端が複数の電子部品（６２）に当接している。
又、前面キャビネット半体（３）には複数の窓（３１）と１つの開口（３２）が開設されており、該窓（３１）から操作キー（１１）の表面が露出すると共に、該開口（３２）からリングキー（１３）の表面が露出している。
【００２５】
図４は、ドームシート（７）の複数のドーム部（７１）と背面キャビネット半体（４）に凹設された電池収容室（１５）との位置関係を示す透視平面図である。図示の如く、電池収容室（１５）を形成する４つの側壁（４１）（４２）（４３）（４４）の内、ヒンジ機構側の第１側壁（４１）は、ドームシート（７）のヒンジ機構側の端部に配列された３つのドーム部（７１ａ）（７１ｂ）（７１ｃ）を背面キャビネット半体（４）内面へキー操作力の作用方向に投影した３つの領域と交差した位置に配置されている。
図５に示す如く、底壁（４０）の背面には、第１側壁（４１）と反対側の位置に、基板（６）に向けて突出する第１リブ（４５ａ）が配置されており、該リブ（４５ａ）の先端は、基板（６）に当接している。
【００２６】
電池収容室（１５）を形成する４つの側壁（４１）（４２）（４３）（４４）の内、ヒンジ機構から最も遠い反ヒンジ機構側の第２側壁（４２）は、図４に示す如くドームシート（７）の反ヒンジ機構側の端部に配列された３つのドーム部（７１ｄ）（７１ｅ）（７１ｆ）を背面キャビネット半体（４）内面へキー操作力の作用方向に投影した３つの領域と交差した位置に配置されている。
【００２７】
図５に示す如く、基板（６）上の複数の電子部品（６２）の内、１つの電子部品（６２ａ）は、前記３つのドーム部（７１ｄ）（７１ｅ）（７１ｆ）の内、中央のドーム部（７１ｅ）の前記投影領域と交差する位置に配置され、基板（６）の裏面と底壁（４０）の背面の両方に当接している。
又、図２に示す如く底壁（４０）の背面に突設された１条のリブ（４５ｂ）が、右側のドーム部（７１ｆ）の前記投影領域と交差した位置に配置されており、該リブ（４５ｂ）の先端は、基板（６）の裏面に当接している。
【００２８】
図４に示す如く、電池収容室（１５）を形成する底壁（４０）の背面に形成された他の複数条のリブ（４５）（４６）は、上記の６つのドーム部（７１ａ）〜（７１ｆ）を除くその他のドーム部（７１ｇ）を背面キャビネット半体（４）の内面へキー操作力の作用方向に投影した領域と交差した位置に配置されている。
【００２９】
上記本発明の携帯型電子機器においては、ユーザが、ドームシート（７）のヒンジ機構側の端部に配列された３つのドーム部（７１ａ）（７１ｂ）（７１ｃ）の内、例えば左側のドーム部（７１ａ）上の操作キー（１１ａ）を押圧した場合、該ドーム部（７１ａ）が弾性復帰可能に反転して接点が閉じられる。この結果、基板（６）の表面には、該ドーム部（７１ａ）によって覆われた領域に、キー操作による押圧力が作用することとなる。
【００３０】
ここで、基板（６）の押圧力の作用する領域の裏面側には、基板（６）と当接するリブ（４５ａ）及び第１側壁（４１）が配置されており、該側壁（４１）の深さ方向の両端は、図５に示す如く約９０度に屈曲して背面キャビネット半体（４）の第１背面壁（４ａ）と底壁（４０）に繋がっており、これによって２つの屈曲部を有するＺ字状部が形成されている。該Ｚ字状部は、曲げに対して大きな強度を有しているため、基板（６）に作用する押圧力は、リブ（４５ａ）を介して該Ｚ字状部によって受け止められることとなり、押圧力が大きい場合においても、該Ｚ字状部が大きな強度を発揮するため、基板（６）は殆ど撓まない。
又、中央のドーム部（７１ｂ）及び右側のドーム部（７１ｃ）についても同様に、基板（６）に作用する押圧力は、リブ（４５ａ）を介してＺ字状部によって受け止められるため、基板（６）は殆ど撓まない。
【００３１】
ユーザが前記ドームシート（７）の反ヒンジ機構側の端部に配列された３つのドーム部（７１ｄ）（７１ｅ）（７１ｆ）の内、例えば中央のドーム部（７１ｅ）上の操作キー（１１ｅ）を押圧した場合、基板（６）の表面には、該ドーム部（７１ｅ）によって覆われた領域に押圧力が作用することとなる。
ここで、基板（６）の押圧力の作用する領域の裏面側には、基板（６）上の電子部品（６２ａ）と該電子部品（６２ａ）に当接する第２側壁（４２）が配置され、該側壁（４２）の深さ方向の両端はそれぞれ図５に示す如く約９０度に屈曲して背面キャビネット半体（４）の第２背面壁（４ｂ）と底壁（４０）に繋がっており、これによって２つの屈曲部を有するＺ字状部が形成されている。該Ｚ字状部は、曲げに対して大きな強度を有しているため、基板（６）に作用する押圧力は、電子部品（６２ａ）を介して該Ｚ字状部によって受け止められることとなり、押圧力が大きい場合においても、該Ｚ字状部が大きな強度を発揮するため、基板（６）は殆ど撓まない。
又、左側のドーム部（７１ｄ）についても同様に、基板（６）に作用する押圧力は、電子部品（６２）を介してＺ字状部によって受け止められるため、基板（６）は殆ど撓まない。
【００３２】
右側のドーム部（７１ｆ）上の操作キー（１１ｆ）を押圧した場合、基板（６）の表面には、該ドーム部（７１ｆ）によって覆われた領域に押圧力が作用することとなる。
ここで、基板（６）の押圧力の作用する領域の裏面側には、リブ（４５ｂ）とＺ字状部が配置されており、基板（６）に作用する押圧力は、リブ（４５ｂ）を介してＺ字状部によって受け止められるので、基板（６）は殆ど撓まない。
【００３３】
又、ユーザが上記６つのドーム部（７１ａ）〜（７１ｆ）を除くその他のドーム部（７１ｇ）上の操作キー（１１ｇ）を押圧した場合、基板（６）の表面には、該ドーム部（７１ｇ）によって覆われた領域に、キー操作による押圧力が作用することとなる。
ここで、基板（６）の押圧力の作用する領域の裏面側には、基板（６）に当接する第１リブ（４５）が配置され、或いは複数の電子部品（６２）と該電子部品に当接する第２リブ（４６）が配置され、これらのリブ（４５）（４６）と該リブの基端に連結されている底壁（４０）の一部とによってＴ字状部が形成されている。該Ｔ字状部は曲げに対して大きな強度を有しているため、基板（６）に作用する押圧力は、該Ｔ字状部によって受け止められることになる。
【００３４】
然も、電池収容室（１５）には、剛性の高い電池パック（８）が底壁（４０）に密着して収容されているので、前記Ｔ字状部に作用する押圧力は電池パック（８）によって受け止められることとなる。従って、押圧力が大きい場合においても、Ｔ字状部が発揮する強度と電池パック（８）が発揮する強度とによって、基板（６）は殆ど撓まない。
【００３５】
上述の如く、本発明に係る折り畳み式携帯電話機においては、ユーザのキー操作によって基板（６）に加えられる押圧力が、上述のＺ字状部やＴ字状部によって受け止められるので、押圧力が大きい場合においても、基板（６）が大きく撓むことはない。
又、１枚の基板（６）から基板アセンブリ（６０）が構成されているので、本体キャビネット（１）の薄型化を図ることが出来る。
【００３６】
尚、本発明の各部構成は上記実施の形態に限らず、特許請求の範囲に記載の技術的範囲内で種々の変形が可能である。例えば本発明は、折り畳み式携帯電話機に限らず、一対のキャビネットをスライド可能に連結したスライド式携帯電話機や、単一のキャビネットを具えたストレートタイプの携帯電話機に実施することも可能である。
【図面の簡単な説明】
【図１】本発明に係る折り畳み式携帯電話機の斜視図である。
【図２】該折り畳み式携帯電話機の本体キャビネットの分解斜視図である。
【図３】該本体キャビネットを構成する背面キャビネット半体の斜視図である。
【図４】該本体キャビネットの内部を透視した正面図である。
【図５】該本体キャビネットの断面図である。
【図６】従来の折り畳み式携帯電話機の本体キャビネットの正面図である。
【図７】該本体キャビネットの内部を透視した正面図である。
【図８】図６のＡ−Ａ断面に沿う断面図である。
【図９】基板アセンブリの断面図である。
【符号の説明】
（１）  本体キャビネット
（１１）  操作キー
（１２）  送話部
（１３）  リングキー
（１５）  電池収容室
（２）  蓋体キャビネット
（２１）  ディスプレイ
（２２）  受話部
（２３）  ヒンジ機構
（３）  前面キャビネット半体
（４）  背面キャビネット半体
（４０）  底壁
（４１）  側壁
（４２）  側壁
（４５）  リブ
（４６）  リブ
（５）  キーシート
（６）  基板
（６０）  基板アセンブリ
（６２）  電子部品
（７）  ドームシート
（７１）  ドーム部
（８）  電池パック
（８１）  二次電池要素
【図１】
2005033274.tif 000003
【図２】
2005033274.tif 000004
【図３】
2005033274.tif 000005
【図４】
2005033274.tif 000006
【図５】
2005033274.tif 000007
【図６】
2005033274.tif 000008
【図７】
2005033274.tif 000009
【図８】
2005033274.tif 000010
【図９】
2005033274.tif 000011